(57)【特許請求の範囲】
【請求項１】
すべり面を有するとともに、該すべり面の外側域にあって、建造物の基礎側への連結に供する設置部を有するすべり板と、該すべり板の前記すべり面上に配置されて、該すべり面上を摺動する弾性積層体及び、該弾性積層体の上部に取付けられて、上面側への建造物の設置を許容するフランジプレートを有する支承材とを具えるすべり支承構造体に、前記すべり板のすべり面を覆う保護カバーを配設してなる保護カバー取付け構造であって、
一端部を前記支承材のフランジ部に固定され、他端部を前記すべり板の設置部に固定される剛性ステー部材を、少なくとも２本配設し、前記剛性ステー部材上に保護カバーを配設し、
各剛性ステー部材は、前記一端部が前記支承材のフランジ部に固定された状態で前記他端部を前記すべり板の設置部から取外すことにより、該他端部が該設置部から持ち上がるように寸法設計されていることを特徴とする、すべり支承構造体への保護カバー取付け構造。
【請求項２】
各剛性ステー部材は、前記一端部が前記支承材のフランジ部に固定された状態で前記他端部を前記すべり板の設置部から取外すことにより、該他端部が該設置部から６５ｍｍ以上持ち上がるように寸法設計されている、請求項１に記載のすべり支承構造体への保護カバー取付け構造。
【請求項３】
各剛性ステー部材は、前記一端部に、前記積層弾性体側に向けて切欠いたスリットを有し、該スリットに小径部を貫通させる固定手段によって、前記剛性ステー部材を前記フランジ部に固定している、請求項１又は２に記載のすべり支承構造体への保護カバー取付け構造。
【発明の詳細な説明】
【技術分野】
【０００１】
本発明はすべり支承構造体への保護カバー取付け構造、詳細には、すべり面を有するとともに、該すべり面の外側域にあって、建造物の基礎側への連結に供する設置部を有するすべり板と、該すべり板の前記すべり面上に配置されて、該すべり面上を摺動する弾性積層体及び、該弾性積層体の上部に取付けられて、上面側への建造物の設置を許容するフランジプレートを有する支承材とを具えるすべり支承構造体に、前記すべり板のすべり面を覆う保護カバーを配設してなる保護カバー取付け構造、なかでも、すべり支承構造体の免震性能を損なうことなく、施工時及び運搬時等に、弾性積層体をすべり面上の所望の位置に固定させておきながら、すべり板のすべり面を塵埃の付着や損傷等から効果的に保護することができ、また、建造物の竣工後も、前記すべり面を継続して保護することが可能で、且つ点検が容易な、すべり支承構造体への保護カバー取付け構造に関するものである。
【背景技術】
【０００２】
一般に、ビルや、住宅、橋梁或いは塔等の建造物と、建造物の基礎との間に設置されるすべり支承構造体は、すべり面を有するすべり板と、すべり面上に配置される弾性積層体を有する支承材とを具えており、例えば、地震等の外部振動入力によって基礎側が振動する際に、支承材がすべり面上を水平方向に摺動することにより、基礎側の振動入力の、建造物への伝達を防ぐ免震機能を発揮するものである。
【０００３】
ところで、すべり板のすべり面には、通常、弾性積層体との接触面の摩擦を減少させて摺動を滑らかにすることを所期して、ＰＴＦＥ（テフロン（登録商標））でコーティングする等の摩擦低減処理が施されている。尚、弾性積層体側の接触面に上記のような摩擦低減処理を施すこともある。
【０００４】
しかしながら、この摩擦低減処理は塵埃や傷等に弱く、建造物の施工中において、このすべり面上に塵埃が堆積してしまったり、或いは、施工作業員の不注意等によって足跡や傷が付いて、ＰＴＦＥコーティングが剥離してしまったりした場合、すべり面の摩擦係数が変化し、外部振動入力時にすべり支承構造体の所望の免震性能を得られなくなるおそれがある。
【０００５】
その場合、該当箇所の補修や、最悪のケースではすべり板を交換することが必要となり、コストや作業工数を大きく損なうことになるため、従来では、このすべり面の上に別途の養生シートやベニヤ板のカバーを敷くことによって、すべり面上への塵埃の堆積や、施工作業員の不注意等に起因する、すべり面の損傷を防止する措置を施すことが一般的であった。
【０００６】
しかし、すべり面上に単にカバーを敷く場合、そのカバーが、建造物の竣工後の支承材の摺動を妨げとなるので、竣工とともにカバーを取外さなければならず、従って、この従来技術では、建造物の竣工後において尚継続してすべり面を保護することは不可能であった。
また、この従来技術では、施工作業者等に対する視覚的な警告機能が低いため、例えば、施工作業者等が誤って足を踏み入れてしまったりすることによって、すべり面を損傷させてしまう等のおそれが高かった。
【０００７】
これに対し、建造物の竣工後も継続してすべり面を保護できるものとして、例えば特許文献１では、「下部躯体と上部躯体との間に配設され、前記下部躯体側に設けられた平滑板と、前記上部躯体側に設けられた弾性支承部のすべり材とが相互にそれぞれの摺動面を接触して配設されるすべり免震装置を覆う保護カバーであって、該保護カバーは、前記平滑板と前記すべり材とを覆う下部開口部を有する断面視箱型形状の成形体であり、前記断面視箱型形状の内部天井面に前記平滑板との接触を防ぐための柱状体が設けられていることを特徴とする免震装置用保護カバー。」が記載されており、これによれば、「断面視箱型形状の内部天井面に上記平滑板との接触を防ぐための柱状体が設けられているので、平滑板のすべり面と保護カバー内面と接触せず、また、保護カバーが変形しないので保護カバーに裂け目ができない。その結果、長期間安定して免震機能を維持できる。」とする。
【０００８】
しかしながら、上記の保護カバーは、カバー自体がそもそも大掛かりであるため、運搬や設置に手間が掛かってしまうという問題があり、また、建造物の竣工後の点検も困難になってしまう。
【０００９】
さらに、すべり支承構造体の施工時及び運搬時等においては、支承材のフランジ部の複数個所を、金属製のステー部材等によってすべり板のすべり面以外の面に連結させることによって、支承材をすべり面上の所望の位置に固定し、ずれを防止することが一般的であるが、特許文献１に記載の保護カバーでは、このような剛ステー部材の取付けや取外しを妨げてしまうという問題もあり、極めて不便である。
【先行技術文献】
【特許文献】
【００１０】
【特許文献１】特開２００７−３９９４２号公報
【発明の概要】
【発明が解決しようとする課題】
【００１１】
従って本発明は、上記問題に鑑み、外部振動入力時等の免震性能を損なうことなく、すべり板のすべり面を塵埃の付着や損傷等から効果的に保護でき、また、建造物の竣工後も継続してすべり面を保護することが可能であり、且つ点検も容易な、すべり支承構造体への保護カバー取付け構造を提供することを目的とする。
【課題を解決するための手段】
【００１２】
上記課題を解決するための本発明の要旨構成は、以下の通りである。
本発明のすべり支承への保護カバー取付け構造は、すべり面を有するとともに、該すべり面の外側域にあって、建造物の基礎側への連結に供する設置部を有するすべり板と、該すべり板の前記すべり面上に配置されて、該すべり面上を摺動する弾性積層体及び、該弾性積層体の上部に取付けられて、上面側への建造物の設置を許容するフランジプレートを有する支承材とを具えるすべり支承構造体に、前記すべり板のすべり面を覆う保護カバーを配設してなる保護カバー取付け構造であって、
一端部を前記支承材のフランジ部に固定され、他端部を前記すべり板の設置部に固定される剛性ステー部材を、少なくとも２本配設し、前記剛性ステー部材上に保護カバーを配設し、
各剛性ステー部材は、前記一端部が前記支承材のフランジ部に固定された状態で前記他端部を前記すべり板の設置部から取外すことにより、該他端部が該設置部から持ち上がるように寸法設計されていることを特徴とするものである。
【００１３】
上記において、すべり面を「覆う」とは、少なくとも一部のすべり面の上方に保護カバーが位置していることを言うものとし、必ずしも、すべり面の全面に渡って被さっている必要はなく、また、必ずしもすべり面と保護カバーとは接触していなくても良い。
【００１５】
請求項２に記載したところにおいて、より好ましくは、各剛性ステー部材を、前記一端部が前記支承材のフランジ部に固定された状態で前記他端部を前記すべり板の設置部から取外すことにより、該他端部が該設置部から６５ｍｍ以上持ち上がるように寸法設計する。
【００１６】
請求項１〜３のいずれかに記載したところにおいて、好ましくは、各剛性ステー部材の前記一端部に、前記積層弾性体側に向けて切欠いたスリットを設け、該スリットに小径部を貫通させる固定手段によって、前記剛性ステー部材を前記フランジ部に固定する。
【発明の効果】
【００１７】
本発明のすべり支承構造体への保護カバー取付け構造は、一端部を支承材の前記フランジ部に固定され、他端部を前記すべり板の設置部に固定される剛性ステー部材を、少なくとも２本配設し、これらの剛性ステー部材上に保護カバーを配設することを特徴としており、これによれば、引用文献１に記載されるような大掛かりな保護カバーを用いることなく、運搬時から建造物の竣工後まで効果的にすべり面を保護することができる。
【００１８】
また、施工時及び運搬時等においては、これらの剛性ステー部材によって、支承材がすべり板のすべり面上の所望の位置に固定されているため、運搬に際しては、これらを一体として容易に運搬することができるとともに、施工時には、支承材を再度位置決めしたりする手間を省略することができるので、効率的である。
【００１９】
さらに、本発明のすべり支承構造体への保護カバー取付け構造では、保護カバーが、これらの剛性ステー部材の延在形態に倣って、すべり板の端部側から支承材側に向けて盛り上がっていくような形態になるため、すべり面に養生シートを敷いただけの場合よりも施工作業者等への視覚的な警告機能が高く、これにより、施工作業者が誤って足を踏み入れたりすること、ひいては、それらによってすべり面が損傷されるおそれを効果的に低減させることができる。
【００２０】
そして、建造物の竣工後は、この取付け構造から剛性ステー部材のみを取り去ったり、或いは、剛性ステー部材のすべり板側の端部のみを設置部から取外して、この端部を上方に持ち上げることにより、保護カバーは、継続してすべり面を保護することができる。
【００２１】
また、点検時においては、この保護カバーをめくれば、すべり面を容易に点検することができる。
【００２２】
また、本発明のすべり支承構造体への保護カバー取付け構造において、各剛性ステー部材を、前記一端部が前記支承材のフランジ部に固定された状態で前記他端部を前記設置部から取外すことにより、該他端部が該設置部から、持ち上がるように寸法設計した場合、剛性ステー部材の他端部が持ち上がることによって、保護カバーも持ち上がることになる。
【００２３】
この構造によれば、外部振動の入力時に、支承材の摺動移動に伴って保護カバーも一緒に動くことになるため、竣工後の支承材の摺動移動がよりスムーズになり、免震性能のより長期的な確保が可能である。
【００２４】
また、その際、各剛性ステー部材の他端部が該設置部から、６５ｍｍ以上持ち上がるように設計されていれば、例えば、これらの剛性ステー部材の他端部の持ち上がり量が、自重等による経時的なクリープ歪みによって多少減少してしまった場合でも、これら他端部とすべり板との距離を十分に確保することができるので、剛性ステー部材とすべり板との接触による免震性能の低下のおそれを排除することができる。
【００２５】
さらに、本発明のすべり支承構造体への保護カバー取付け構造において、各剛性ステー部材の前記一端部に、前記積層弾性体側に向けて切欠いたスリットを設け、該スリットに小径部を貫通させるボルト等の固定手段によって、前記剛性ステー部材を前記フランジ部に固定すれば、保護カバーを支承材のフランジ部に取付けたまま、剛性ステー部材の一端部側の固定手段を外すことなく、剛性ステー部材を容易に取り去ることができる。
【図面の簡単な説明】
【００２６】
【図１】本発明のすべり支承構造体への保護カバー取付け構造を示す断面斜視図である。
【図２】（ａ）は、本発明のすべり支承構造体への保護カバー取付け構造を、その半部について示す縦断面図であり、（ｂ）は、（ａ）の取付け構造に用いる剛性ステー部材の一端部付近の平面図である。
【図３】（ａ）は、各剛性ステー部材の他端部が設置部からはずされ、該他端部が持ち上がった状態の、保護カバー取付け構造を示す断面図であり、（ｂ）は、各剛性ステー部材を取り去った状態の、保護カバー取付け構造を示す断面図である。
【発明を実施するための形態】
【００２７】
以下、図面を参照して、本発明を詳細に説明する。
図１に示すところにおいて、本発明のすべり支承構造体１への保護カバー取付け構造は、すべり面２ａを有するとともに、すべり面の外側域にあって、建造物の基礎Ｇ側への連結に供する設置部２ｂを有するすべり板２と、すべり板２のすべり面２ａ上に配置されて、すべり面２ａ上を摺動する弾性積層体３及び、弾性積層体３の上部に取付けられて、上面側への建造物（図示せず）の設置を許容するフランジプレート４を有する支承材８とを具えるすべり支承構造体１に、すべり板２のすべり面２ａを覆う保護カバー５を取付けてなる。
【００２８】
ここで、本発明では、図１に示すように、一端部６ａを支承材８のフランジ部４に固定され、他端部６ｂをすべり板２の設置部２ｂに固定される剛性ステー部材６を少なくとも２本、図示例では４本配設し、これらの剛性ステー部材６上に保護カバー５を配設していることが肝要である。
尚、図１において、保護カバー５は、仮想的に透明で表現されており、２点鎖線で輪郭を示される。
【００２９】
図示例では、弾性積層体３は、弾性体及び剛性体を交互に積層してなる積層部３ａと、すべり板２のすべり面２ａに接触する面に摩擦低減処理を施された接触部３ｂとによって構成される。
【００３０】
また図示例で、支承材９のフランジ部４は、建造物または剛性ステー部材６の一端部６ａとフランジ部４とをボルト等の固定手段７ａによって固定させるための、ボルト孔４ｂを、該フランジ部４の全周に渡って複数個有する。
【００３１】
すべり板２は、４角形の板状であり、４隅に夫々３角形の設置部２ｂを有し、各設置部２ｂに、建造物の基礎Ｇまたは剛性ステー部材６の他端部６ｂと該設置部２ｂとをボルト等の固定手段８ａによって固定させるためのボルト孔２ｃを複数個有する。
【００３２】
各剛性ステー部材６は、図１及び図２（ａ）に示すように、一端部を固定手段７によって支承材９のフランジ部４に固定されており、他端部を固定手段８によってすべり板２の設置部２ｂに固定されている。
【００３３】
保護カバー５は、支承材９のフランジ部４よりも小径で、弾性積層体３よりも大径の円形を、中心部にくり抜かれた四角形の形状であり、フランジ４側では、剛性ステー部材６の一端部６ａとフランジ部４との間に挟まれて該剛性ステー部材６とともに固定されており、設置部２ｂ側では、固定手段８ａの上に被さっている。
【００３４】
また、保護カバー５は、剛性ステー部材６の中央部を包むための円筒状の袋部５ａを有しており、これによって保護カバー５の剛性ステー部材６からの位置ずれが防止される。
【００３５】
各剛性ステー部材は、例えば建造物の竣工後、図３（ａ）に示すように、一端部６ａが支承材９のフランジ部４に固定された状態で他端部６ｂをすべり板２の設置部２ｂから取外すことにより、該他端部６ｂが該設置部２ｂから持ち上がるように寸法設計されている。
【００３６】
図３（ａ）に示すところでは、各剛性ステー部材６は、金属製の部材であり、他端部６ｂを取外した際に、該他端部６ｂが上方に６５ｍｍ以上スプリングバックするように構成されている。
【００３７】
図示例のように、固定手段８を取外すことによって他端部６ｂが持ち上がった各剛性ステー部材６の上に、再度保護カバーを被せることによって、竣工後のすべり面を保護することができる。また、取り外した固定手段８は、ボルト孔２ｃに再び装着して、すべり板と建造物の基礎Ｇとの固定に使用することもできる。
【００３８】
一方、本発明では、図３（ｂ）に示すところのように、各剛性ステー部材６を完全に取り去った態様にて、すべり板２のすべり面２ａにカバー５を被せて保護することも可能であり、その場合、カバー５は、固定手段７によってフランジ部４に固定されていることが好ましい。
【００３９】
その際、各剛性ステー部材６は、図２（ｂ）にその一端部６ａ付近について拡大して示すように、一端部６ａに、積層弾性体３側の端部に抜けるスリット６ｃを有することが好ましい。
【００４０】
スリット６ｃは、固定手段７の小径部７ｂよりも幅広で、且つ固定手段７の大径部７ａよりも小径であるため、剛性ステー部材６の他端部６ｂ側を取外さない限り、一端部６ａ側は、この固定手段７によって固定されることになる。
【００４１】
これによれば、他端部６ｂ側の固定手段８を取外して各剛性ステー部材６を外側に引っ張るだけで、これらの剛性ステー部材６を容易に取外すことができる。
【符号の説明】
【００４２】
１          すべり支承
２          すべり板
２ａ        すべり面
２ｂ        設置部
２ｃ        ボルト孔
３          弾性積層体
３ａ        積層部
３ｂ        接触部
４          フランジプレート
４ｂ        ボルト孔
５          保護カバー
５ａ        袋部
６          剛性ステー部材
６ａ        一端部
６ｂ        他端部
６ｃ        スリット
７，８      ボルト
７ａ，８ａ  大径部
７ｂ，８ｂ  小径部
９          支承材
【図１】
0005620133.tif 000002
【図２】
0005620133.tif 000003
【図３】
0005620133.tif 000004